(57)【要約】【課題】  プレートと光学部の位置がずれた場合に、常に励起光を流路に対してもれなく照射し、常に安定した検出感度の蛍光検出を実現する蛍光検出装置、及び蛍光検出方法を提供する。【解決手段】  プレートの流路３０１の断面形状を、流路の底面幅より流路のプレート表面幅が長い台形とし、流路３０１の側面によって反射された励起光３０７を第１の受光ブロック３０４の第１、第２の受光部３１１、３１２、及び第２の受光ブロック３０５の第３、第４の受光部３１３、３１４によって受光し、プレートの流路３０１と光学部３１０の位置ずれ方向を推測し、この推測値を元にプレート３０２に対して光学部３１０を相対的に駆動させる。【選択図】  図３
2008209193.tif 000002
【特許請求の範囲】
【請求項１】
側面を持つ流路が形成されたプレートと、
前記プレートに対して励起光を照射し、反射された励起光を受光する光学部とを備え、
前記光学部は、
励起光を前記プレートに対して垂直に照射する光源と、前記流路の一方の側面によって反射された励起光の進行方向に対して垂直に受光する位置に設置された第１の受光ブロックと、前記流路のもう一方の側面によって反射された励起光の進行方向に対して垂直に受光する位置に設置された第２の受光ブロックを有し、
前記第１、第２の受光ブロックの受光量が同一となるよう、前記プレートに対して前記光学部を相対的に駆動する、
ことを特徴とした蛍光検出装置。
【請求項２】
請求項１に記載の蛍光検出装置において、
前記流路の断面形状を、前記流路の底面幅より前記流路のプレート表面幅が長い台形とする、
ことを特徴とした蛍光検出装置。
【請求項３】
請求項１または請求項２のいずれかに記載の蛍光検出装置において、
前記第１、第２の受光ブロックによって受光した光量を比較し、前記光学部の前記プレート面の水平方向または垂直方向への位置ずれ方向を推測する演算部を備え、
該演算部により推測された位置ずれ方向の演算データに基づき、前記プレートに対して前記光学部を相対的に駆動する、
ことを特徴とする蛍光検出装置。
【請求項４】
請求項１から請求項３のいずれかに記載の蛍光検出装置であって、
前記光学部は、前記光源より照射された励起光によって蛍光物質を注入した流路内から発せられる蛍光を収集するための対物レンズを有し、
前記プレートに形成された流路は、該流路の側面によって反射された励起光が前記対物レンズに入射しない角度の側面を有する、
ことを特徴とする蛍光検出装置。
【請求項５】
請求項１から請求項４のいずれかに記載の蛍光検出装置において、
前記第１の受光ブロックは少なくとも２つの受光部を有し、前記第２の受光ブロックは少なくとも２つの受光部を有する、
ことを特徴とした蛍光検出装置。
【請求項６】
請求項１から５のいずれかに記載の蛍光検出装置において、
前記側面の材質は、全反射する材質である、
ことを特徴とした蛍光検出装置。
【請求項７】
請求項１に記載の蛍光検出装置を用いる蛍光検出方法であって、
前記第１の受光ブロックと前記第２の受光ブロックによって受光される光量を比較するステップと、
前記比較した光量により、前記光学部の前記プレート面の水平方向への位置ずれ方向を推測するステップと、
推測された前記光学部の前記プレート面の水平方向への位置ずれ方向に基づき、前記第１、第２の受光ブロックの受光量が同一となるよう、前記プレートに対して前記光学部を相対的に駆動するステップと、
前記プレートと前記光学部の水平方向への位置ずれを補正するステップとからなる、
ことを特徴とする蛍光検出方法。
【請求項８】
請求項５に記載の蛍光検出装置を用いる蛍光検出方法であって、
前記第１の受光ブロックが有する第１、第２の受光部、及び前記第２の受光ブロックが有する第３、第４の受光部によって受光される光量を比較するステップと、
前記比較した光量により、前記光学部の前記プレート面の垂直方向への位置ずれ方向を推測するステップと、
推測された前記光学部のプレート面の垂直方向への位置ずれ方向に基づき、前記第１、第２の受光ブロックの受光量が同一となるよう、前記プレートに対して前記光学部を相対的に駆動するステップと、
前記プレートと前記光学部の垂直方向への位置ずれを補正するステップとからなる、
ことを特徴とする蛍光検出方法。
【発明の詳細な説明】
【技術分野】
【０００１】
本発明は、流路内の蛍光物質が発する蛍光を検出する技術に関し、特に励起光と流路の位置決めに関する。
【背景技術】
【０００２】
従来、核酸、タンパク質、酵素等の生体分子を検出する手法として、蛍光反応を利用する蛍光検出法が採用されてきた。既存の光源や受光素子等の光学部品を組み合わせて、ラジオアイソトープを使わず、安全、安価に生体分子の測定が可能であることから、蛍光検出法は酵素免疫測定、電気泳動、共焦点走査型蛍光顕微鏡法などさまざまな生体分子の検出に応用されている。
【０００３】
蛍光検出法は、励起光を照射することで生体分子から発せられる蛍光信号を検出する方法である。例えばＦＩＴＣは波長４９５ｎｍの励起光に対して、波長５２０ｎｍの蛍光を発する物質である。蛍光を発する物質を検出するためには、励起波長を有する光と、蛍光波長を検出する受光部の組み合わせで測定される。これらを実用化するために、落射式と呼ばれている蛍光測定方法が知られている。これは励起光を試料上方から照射し、励起光によって起こる蛍光反応の変化を、励起光照射側に配置した受光素子で検出するものである。
【０００４】
図４は、従来の一般的な落射式蛍光測定装置の概略図である。
図４において、光源１０１から照射されて、ダイクロイックミラー１０２によって反射された励起光１０５は、プレート１０７に配置された生体分子１０８に照射される。前記励起光１０５によって励起された生体分子１０８からの蛍光１０６は、対物レンズ１０９、ダイクロイックミラー１０２、受光フィルター１０３を透過し、蛍光信号として受光部１０４で検出される。このように、蛍光を発する物質と、それに対応した励起光と受光素子を利用することで、様々な蛍光物質や蛍光標識した生体分子を検出できるようになる。
【０００５】
蛍光検出を行う場合、試料を支持するための基板やセル、流路を有するプレートが用いられるが、近年、例えば図５のような特許文献の国際公開第２００５／０６４３３９号パンフレットに開示されているものがあり、樹脂製のプレートに微細な流路を形成したものを用いて、流路内にサンプルと緩衝液を充填した後、緩衝液に対して所定の電位勾配をかけることでサンプルを電気泳動させながら、同時に生体分子に修飾した蛍光物質に対して励起光を照射しながら蛍光の強度分布を検出することにより、生体分子の泳動状態を観察する方式が見られる（例えば、特許文献１）。図５に示す従来の生体サンプル判別装置は、緩衝剤が注入される第１の流路と、その流路の一部に、前記第１の流路とその一部の流路を共通とし、生体サンプルを一定量保持する定量部を含み、該定量部を含む流路に生体サンプルが注入される第２の流路と、を有する流路パターンが形成されたプレート１０を、充填ユニット２０によって高速回転させて、前記第１の流路に緩衝剤を充填させた後、判別ユニット３０によって前記第２の流路を加圧して、該第２の流路に生体サンプルを充填すると共に、緩衝剤中に一定量の生体サンプルを添加するようにし、これにより、生体サンプルの判別を行う際に、煩雑な準備作業をしなくても、正確且つ短時間に判別結果が得られるものである。
【０００６】
この方式では、生体分子がプレート内の流路に注入され電気泳動方式で流れる様を励起光を照射しながらプレートを回転させ走査する必要がある。プレートの回動は、プレートの偏心などの影響によって、光学部とプレートの相対的な位置ずれが問題となってくる。それを補うために流路に照射する励起光のスポット幅を広くして、位置ずれが発生しても流路には少なくとも励起光の一部が照射されるような対策を行っていた。
【特許文献１】国際公開第２００５／０６４３３９号パンフレット
【発明の開示】
【発明が解決しようとする課題】
【０００７】
しかしながら、検出する蛍光量が小さくなってくると、幅の広いスポット幅ではプレート表面から発せられる自家蛍光などが、バックグラウンドノイズとして問題となるため、スポット幅は、流路と同じ幅として蛍光部とプレートの相対的な位置ずれを起こさないようにする必要があった。
【０００８】
本発明は、プレートと光学部の位置がずれた場合に、位置ずれ方向の情報が得られ、この情報を元に、光学部の位置を補正することにより、常に励起光を流路に対してもれなく照射することができ、さらに励起光のスポット幅を流路の幅と同様にすることができるため、バックグラウンドノイズの影響を抑えることができ、常に安定した検出感度の蛍光検出を実現することを可能とした蛍光検出装置、及び蛍光検出方法を提供することを目的とする。
【課題を解決するための手段】
【０００９】
前記課題を解決するために、本発明の請求項１にかかる蛍光検出装置は、側面を持つ流路が形成されたプレートと、前記プレートに対して励起光を照射し、反射された励起光を受光する光学部とを備え、前記光学部は、励起光を前記プレートに対して垂直に照射する光源と、前記流路の一方の側面によって反射された励起光の進行方向に対して垂直に受光する位置に設置された第１の受光ブロックと、前記流路のもう一方の側面によって反射された励起光の進行方向に対して垂直に受光する位置に設置された第２の受光ブロックを有し、前記第１、第２の受光ブロックの受光量が同一となるよう、前記プレートに対して前記光学部を相対的に駆動することを特徴とする。
【００１０】
本発明の請求項２にかかる蛍光検出装置は、請求項１に記載の蛍光検出装置において、前記流路の断面形状を、前記流路の底面幅より前記流路のプレート表面幅が長い台形とすることを特徴とする。
【００１１】
本発明の請求項３にかかる蛍光検出装置は、請求項１または請求項２のいずれかに記載の蛍光検出装置において、前記第１、第２の受光ブロックによって受光した光量を比較し、前記光学部の前記プレート面の水平方向または垂直方向への位置ずれ方向を推測する演算部を備え、該演算部により推測された位置ずれ方向の演算データに基づき、前記プレートに対して前記光学部を相対的に駆動することを特徴とする。
【００１２】
本発明の請求項４にかかる蛍光検出装置は、請求項１から請求項３のいずれかに記載の蛍光検出装置であって、記光学部は、前記光源より照射された励起光によって蛍光物質を注入した流路内から発せられる蛍光を収集するための対物レンズを有し、前記プレートに形成された流路は、該流路の側面によって反射された励起光が前記対物レンズに入射しない角度の側面を有することを特徴とする。
【００１３】
本発明の請求項５にかかる蛍光検出装置は、請求項１から請求項４のいずれかに記載の蛍光検出装置において、前記第１の受光ブロックは少なくとも２つの受光部を有し、前記第２の受光ブロックは少なくとも２つの受光部を有することを特徴とする。
【００１４】
本発明の請求項６にかかる蛍光検出装置は、請求項１から５のいずれかに記載の蛍光検出装置において、前記側面の材質は、全反射する材質である、ことを特徴とする。
【００１５】
本発明の請求項７にかかる蛍光検出方法は、請求項１に記載の蛍光検出装置を用いる蛍光検出方法であって、前記第１の受光ブロックと前記第２の受光ブロックによって受光される光量を比較するステップと、前記比較した光量により、前記光学部の前記プレート面の水平方向への位置ずれ方向を推測するステップと、推測された前記光学部の前記プレート面の水平方向への位置ずれ方向に基づき、前記第１、第２の受光ブロックの受光量が同一となるよう、前記プレートに対して前記光学部を相対的に駆動するステップと、前記プレートと前記光学部の水平方向への位置ずれを補正するステップとからなることを特徴とする。
【００１６】
本発明の請求項８にかかる蛍光検出方法は、請求項５に記載の蛍光検出装置を用いる蛍光検出方法であって、前記第１の受光ブロックが有する第１、第２の受光部、及び前記第２の受光ブロックが有する第３、第４の受光部によって受光される光量を比較するステップと、前記比較した光量により、前記光学部の前記プレート面の垂直方向への位置ずれ方向を推測するステップと、推測された前記光学部のプレート面の垂直方向への位置ずれ方向に基づき、前記第１、第２の受光ブロックの受光量が同一となるよう、前記プレートに対して前記光学部を相対的に駆動するステップと、前記プレートと前記光学部の垂直方向への位置ずれを補正するステップとからなることを特徴とする。
【発明の効果】
【００１７】
本発明の蛍光検出装置、及び蛍光検出方法は、励起光のスポットは常に流路上をトレースすることができ、これにより、励起光のスポット幅を流路幅と同様としても、生体分子に励起光を一様に照射することができ、流路の外側のプレート面からの反射光や自家蛍光は蛍光検出部に外乱として入射せず、バックグラウンドノイズを低減することができる。
【発明を実施するための最良の形態】
【００１８】
以下、図を用いて、本発明の実施の形態の蛍光検出装置、及び蛍光検出方法について説明する。
【００１９】
本発明は、生体分子を緩衝剤中で移動させて、生物学的、酵素的、免疫学的、および科学的アッセイを行う蛍光検出装置において、光学部と流路の位置ずれによる検出能力の低下を防止し、常に安定した検出感度で検出を可能とするものである。
【００２０】
（実施の形態１）
図１は、本発明の実施の形態１による蛍光検出装置を示す図である。
図１において、本実施の形態１の蛍光検出装置は、生体分子を支持する、側面を持つ流路３０１が形成されたプレート３０２を備えている。また、励起光３０７をプレート３０２に対して垂直に照射する光源３０３と、流路３０１の一方の側面によって反射された励起光３０７の進行方向に対して垂直に受光する位置に第１の受光ブロック３０４と、流路３０１のもう一方の側面によって反射された励起光３０７の進行方向に対して垂直に受光する位置に第２の受光ブロック３０５と、流路３０１に配置された生体分子３０８からの蛍光３０９を収集するための対物レンズ３１５とを有する光学部３１０を備えている。また、プレート３０２に対して光学部３１０を相対的に駆動するよう駆動機構（図示せず）を備えている。
【００２１】
また、第１、第２の受光ブロック３０４、３０５によって受光した光量を比較するための演算部３０６を備えている。第１の受光ブロック３０４は第１、第２の受光部３１１、３１２を有し、第２の受光ブロック３０５は第３、第４の受光部３１３、３１４を有している。
【００２２】
本発明の実施の形態１にかかる蛍光検出装置の流路の形状の一例の概略図を図２に示す。図１に示される流路３０１は図２に示される流路４０１に対応する。
流路４０１の断面形状は図１中の励起光３０７を第１、第２の受光ブロック３０４、３０５に向かって反射させるために、流路４０１の底面幅より流路４０１のプレート表面幅が長い台形とした。前記側面４０２の材質は、例えばアルミのような励起光を全反射する材料であることが望ましく、流路内の生体分子は電気泳動されるため、例えばシリコンやチタンの酸化物４０３によって絶縁されなければならない。傾斜の角度∠４０４は、図１中の光源３０３よりプレート３０２に対して垂直に照射され、流路の側面によって反射された励起光３０７が、流路３０１に配置された生体分子３０８からの蛍光３０９を収集するための対物レンズ３１５に入らない角度、かつ、流路３０１を閉じている流路内の生体分子の表面によって全反射が起こらない角度とする。具体的には、蛍光を収集するための対物レンズの集散角を３３度、傾斜の角度∠４０４をθ1、流路から出射される励起光の角度をθ2、流路内の生体分子の屈折率を１．３３とすると、
θ2 = asin(1.33 * sin(2θ1))
で表せる。上記条件を満たす角度∠４０４は、およそ１３度から２４度の範囲である。この角度の範囲で、第１、第２の受光ブロック３０４、３０５が設置される。
【００２３】
また、第１の受光ブロック３０４の有する第１の受光部３１１と第２の受光部３１２は、光学部３１０とプレート３０２が、位置ずれなく理想的な位置関係にある場合、流路側面より反射された励起光をちょうど１：１の比率で受光する。また、第２の受光ブロック３０５の有する第３の受光部３１３と第４の受光部３１４は、光学部３１０とプレート３０２が、位置ずれなく理想的な位置関係にある場合、流路側面より反射された励起光をちょうど１：１の比率で受光する。
【００２４】
次に、本発明の実施の形態１にかかる蛍光検出装置の位置ずれの補正方法を説明する。
流路側面によって反射された励起光３０７を、第１の受光ブロック３０４の第１、第２の受光部３１１、３１２、及び第２の受光ブロック３０５の第３、第４の受光部３１３、３１４によって受光し、これらの受光量を演算部３０６によって比較することによって、流路と光学部の位置ずれ方向を推測することができる。
【００２５】
処理内容としては、
Ａ: 第１の受光ブロック３０４の受光量
Ｂ: 第２の受光ブロック３０５の受光量
Ａ１: 第１の受光部３１１の受光量
Ａ２: 第２の受光部３１２の受光量
Ｂ１: 第３の受光部３１３の受光量
Ｂ２: 第４の受光部３１４の受光量
とすると、Ａ−Ｂ＝０、すなわち、第１の受光ブロック３０４の受光量と第２の受光ブロック３０５の受光量が等しい場合、励起光は流路上に照射されている。また、Ａ−Ｂ＞０、すなわち、第１の受光ブロック３０４の受光量が第２の受光ブロック３０５の受光量より大きい場合、励起光は、流路に対して左側にずれている。また、Ａ−Ｂ＜０、すなわち、第１の受光ブロック３０４の受光量が第２の受光ブロック３０５の受光量より小さい場合、励起光は、流路に対して右側にずれている。
【００２６】
また、（Ａ２＋Ｂ２）−（Ａ１＋Ｂ１）＝０、すなわち、第２の受光部３１２の受光量と第４の受光部３１４の受光量の合計量が、第１の受光部３１１の受光量と第３の受光部３１３の受光量の合計量と等しい場合、プレートは蛍光を拾う対物レンズの焦点に対して、上下方向に適切な位置にある。また、（Ａ２＋Ｂ２）−（Ａ１＋Ｂ１）＞０、すなわち、第２の受光部３１２の受光量と第４の受光部３１４の受光量の合計量が、第１の受光部３１１の受光量と第３の受光部３１３の受光量の合計量より大きい場合、プレートは蛍光を拾う対物レンズの焦点に対して、下方向にずれている。また、（Ａ２＋Ｂ２）−（Ａ１＋Ｂ１）＜０、すなわち、第２の受光部３１２の受光量と第４の受光部３１４の受光量の合計量が、第１の受光部３１１の受光量と第３の受光部３１３の受光量の合計量より小さい場合、プレートは蛍光を拾う対物レンズの焦点に対して、上方向にずれている。
【００２７】
もし、第１、第２の受光ブロック３０４、３０５がなにも受光しなかった場合、流路を探索するため、プレートと光学部が駆動可能な範囲内で、励起光を照射しながらプレートに対して光学部を相対的に駆動させる。
【００２８】
推測された位置ずれ方向へ理想的な位置までプレートに対して光学部を駆動させることができれば、蛍光検出を行う。その後、流路方向の次のサンプリングポイントへ、光学部またはプレートを移動させ、以上の操作を流路の終端まで繰り返す。以上の蛍光検出方法のフローチャートを図３に示す。
【００２９】
図３において、蛍光検出を開始し（ステップＳ１０）、プレート面に対して励起光を照射する（ステップＳ１１）。第１の受光ブロック３０４または第２の受光ブロック３０５が受光している場合（ステップＳ１２でＹｅｓ）、第１の受光ブロック３０４の受光量と第２の受光ブロック３０５の受光量が等しいか否かを判断する（ステップＳ１４）。第１の受光ブロック３０４または第２の受光ブロック３０５が受光していない場合（ステップＳ１２でＮｏ）、励起光を照射しながらプレートに対して光学部を相対的に駆動させて流路を探索する(ステップＳ１３)。
【００３０】
第１の受光ブロック３０４の受光量と第２の受光ブロック３０５の受光量が異なる場合（ステップＳ１４でＮｏ）、第１の受光ブロック３０４の受光量が第２の受光ブロック３０５の受光量より大きいか否かを判断する（ステップＳ１５）。第１の受光ブロック３０４の受光量が第２の受光ブロック３０５の受光量より大きい場合（ステップＳ１５でＹｅｓ）、光学部を流路に対して右側に移動し（ステップＳ１６）、第１の受光ブロック３０４の受光量と第２の受光ブロック３０５の受光量が等しいか否かを判断する（ステップＳ１７）。また、第１の受光ブロック３０４の受光量が第２の受光ブロック３０５の受光量より大きくない場合（ステップＳ１５でＮｏ）、光学部を流路に対して左側に移動し（ステップＳ１８）、第１の受光ブロック３０４の受光量と第２の受光ブロック３０５の受光量が等しいか否かを判断する（ステップＳ１９）。
【００３１】
第１の受光ブロック３０４の受光量と第２の受光ブロック３０５の受光量が等しい場合（ステップＳ１４でＹｅｓ）、次に、第２の受光部３１２の受光量と第４の受光部３１４の受光量の合計量が、第１の受光部３１１の受光量と第３の受光部３１３の受光量の合計量と等しいか否かを判断する（ステップＳ２０）。第２の受光部３１２の受光量と第４の受光部３１４の受光量の合計量が、第１の受光部３１１の受光量と第３の受光部３１３の受光量の合計量と異なる場合（ステップＳ２０でＮｏ）、第２の受光部３１２の受光量と第４の受光部３１４の受光量の合計量が、第１の受光部３１１の受光量と第３の受光部１３の受光量の合計量より大きいか否かを判断する（ステップＳ２１）。第２の受光部３１２の受光量と第４の受光部３１４の受光量の合計量が、第１の受光部３１１の受光量と第３の受光部３１３の受光量の合計量より大きい場合（ステップＳ２１でＹｅｓ）、光学部をプレートから離し（ステップＳ２２）、上記のステップＳ２０と同様に再度、第２の受光部３１２の受光量と第４の受光部３１４の受光量の合計量が、第１の受光部３１１の受光量と第３の受光部３１３の受光量の合計量と等しいか否かを判断する（ステップＳ２３）。また、第２の受光部３１２の受光量と第４の受光部３１４の受光量の合計量が、第１の受光部３１１の受光量と第３の受光部３１３の受光量の合計量より大きくない場合（ステップＳ２１でＮｏ）、光学部をプレートに近づけ(ステップＳ２４)、上記のステップＳ２０と同様に再度、第２の受光部３１２の受光量と第４の受光部３１４の受光量の合計量が、第１の受光部３１１の受光量と第３の受光部３１３の受光量の合計量と等しいか否かを判断する（ステップＳ２５）。
【００３２】
第２の受光部３１２の受光量と第４の受光部３１４の受光量の合計量が、第１の受光部３１１の受光量と第３の受光部３１３の受光量の合計量と等しい場合（ステップＳ２０でＹｅｓ）、蛍光を検出し（ステップＳ２６）、流路方向へプレートを移動する（ステップＳ２７）。流路終端まで走査が完了した場合（ステップＳ２８でＹｅｓ）、蛍光検出を終了する（ステップＳ２９）。流路終端まで走査が完了していない場合（ステップＳ２８でＮｏ）、ステップＳ１１に戻り、プレート面に対して励起光を照射する。
【００３３】
なお、本実施の形態１では、受光ブロックが２つの受光部を有する場合について説明したが、３以上の受光部を有するようにしてもよい。
【００３４】
以上のように本実施の形態によれば、側面を持つ流路が形成されたプレート３０２と、前記プレート３０２に対して励起光を照射し、反射された励起光を受光する光学部３１０とを備え、前記光学部３１０は、励起光を前記プレート３０２に対して垂直に照射する光源３０３と、前記流路の一方の側面によって反射された励起光の進行方向に対して垂直に受光する位置に設置された第１の受光ブロック３０４と、前記流路のもう一方の側面によって反射された励起光の進行方向に対して垂直に受光する位置に設置された第２の受光ブロック３０５を有し、前記第１、第２の受光ブロック３０４、３０５の受光量が同一となるよう、前記プレート３０２に対して前記光学部３１０を相対的に駆動するようにしたので、励起光のスポットは常に流路上をトレースすることができ、励起光のスポット幅を流路幅と同様としても、生体分子に励起光を一様に照射することができ、流路の外側のプレート面からの反射光や自家蛍光は蛍光検出部に外乱として入射せず、バックグラウンドノイズを低減することができる。
【産業上の利用可能性】
【００３５】
本発明の蛍光検出装置、及び蛍光検出方法は、ＤＮＡサンプル等の蛍光検出を、光学部と流路の相対的な位置ずれによる検出能力低下を極力排除し、常に安定した蛍光感度の蛍光検出をおこなえるようにするものとして有用である。
【図面の簡単な説明】
【００３６】
【図１】本発明の実施の形態１による蛍光検出装置の概略図
【図２】本発明の実施の形態１による蛍光検出装置の概略図
【図３】本発明の実施の形態１による蛍光検出装置を用いた蛍光検出方法のフローチャート
【図４】従来の一般的な落射式蛍光検出装置の概略図
【図５】従来の生体サンプル判別装置の概略図
【符号の説明】
【００３７】
１０１、３０３  光源
１０２  ダイクロックミラー
１０３  受光フィルター
１０４  受光部
３０４、３０５  受光ブロック
３１１、３１２、３１３、３１４  受光部
１０５、３０７  励起光
１０６、３０９  蛍光
１０７、３０２  プレート
１０８、３０８  生体分子
３０１、４０１  流路
３０６  演算部
１１０、３１０  光学部
１０９、３１５  対物レンズ
４０２  側面
４０３  酸化物
４０４  流路側面の傾斜角
【図１】
2008209193.tif 000003
【図２】
2008209193.tif 000004
【図３】
2008209193.tif 000005
【図４】
2008209193.tif 000006
【図５】
2008209193.tif 000007